(57)【要約】【課題】長さの調整が可能な折り畳み式モップホルダーを提供すること。【解決手段】固定部材の両端に枢設部と嵌着部がそれぞれ形成され、嵌着部にハンドルが結合され、枢設部に折り畳み部材が枢着され、且つ固定部材との間が一直線の状態になるまで折り畳み部材を揺動させてホルダーを長くしたり、固定部材と重なり合うまで揺動させてホルダーを短くしたりする【選択図】図１
0003172999.tif 000002
【実用新案登録請求の範囲】
【請求項１】
長さの調整が可能な折り畳み式モップホルダーであって、
ハンドルと、
両端に枢設部及び前記ハンドルが結合される嵌着部がそれぞれ形成された固定部材と、
前記枢設部に枢着され、前記固定部材との間が一直線の状態になるまで揺動させると前記ホルダーが長くなり、前記固定部材と重なり合うまで揺動させると前記ホルダーが短くなる折り畳み部材と、
前記折り畳み部材の先端部に形成された位置決め孔と、
前記固定部材の上部に形成され、前記折り畳み部材と固定部材が重ね合わされたとき、前記位置決め孔に挿入され、重ね合わせた前記折り畳み部材と固定部材を位置決めするフック部と、
を含むことを特徴とする、長さの調整が可能な折り畳み式モップホルダー。
【請求項２】
前記嵌着部が具有一往前記ハンドル方向に向かって開放された収容部を備え、前記収容部の内壁に２つの相互に対称で外部に連通された端口が形成され、前記ハンドルの一端に前記収容部内に嵌置される連結部が設けられ、前記連結部に２つの相互に対称な弾性フック部が形成され、前記フック部が前記端口にそれぞれ弾性的に挿入されて外部に露出されることを特徴とする、請求項１に記載の長さの調整が可能な折り畳み式モップホルダー。
【請求項３】
前記折り畳み部材が両端に末端部と軸部をそれぞれ備え、前記折り畳み部材が前記軸部により前記枢設部に枢着され、前記軸部の両端に前記末端部の反対方向に向かって開放された第１スロット部と、前記末端部の方向に向かって開放された第２スロット部がそれぞれ形成され、前記位置決め孔が前記末端部の上部に形成され、
前記固定部材の内部に、前記枢設部と前記ホルダーの前記ハンドル近くの位置の間に連通された通路が形成され、
前記ホルダー外壁の前記ハンドル近くの位置に前記通路に連通されたガイド口が形成され、
前記枢設部の方向に弾性的に付勢され、前記通路内を摺動する支持棒が設けられ、前記支持棒が前記枢設部を通過して前記第１スロット部または第２スロット部に弾性的に挿入され、前記折り畳み部材の揺動を制動し、
前記支持棒上に、前記ガイド口から外部に露出されたトリガ部材が設置され、人が手で操作して、前記支持棒を前記枢設部の反対方向に動かし、前記第１スロット部または第２スロット部から離脱させ、前記折り畳み部材の揺動が解放されることを特徴とする、請求項１に記載の長さの調整が可能な折り畳み式モップホルダー。
【請求項４】
前記ホルダーの前記ハンドル近くの位置内部に形成され、且つ前記通路とガイド口の間に連通された収容部と、
前記支持棒上部に設けられ、且つ前記折り畳み部材の方向に向けられ、前記収容部内に位置する上斜面と、
前記トリガ部材底部に設けられ、且つ前記ハンドル方向に向けられた下斜面を含み、前記トリガ部材が前記下斜面を前記支持棒の前記上斜面上で摺動させることで、前記下斜面が下に移動されて前記上斜面を動かし、前記支持棒を前記枢設部の反対方向に移動させることを特徴とする、請求項３に記載の長さの調整が可能な折り畳み式モップホルダー。
【請求項５】
前記支持棒とハンドルの間にバネが設置され、前記支持棒を前記枢設部方向に弾性的に付勢することを特徴とする、請求項３に記載の長さの調整が可能な折り畳み式モップホルダー。
【請求項６】
前記通路の内壁にガイド溝が形成され、前記支持棒上に前記ガイド溝内を摺動する規制フック部が形成されたことを特徴とする、請求項３に記載の長さの調整が可能な折り畳み式モップホルダー。
【請求項７】
前記固定部材と折り畳み部材が扁平の細長い形状であることを特徴とする、請求項１に記載の長さの調整が可能な折り畳み式モップホルダー。
【請求項８】
前記固定部材と折り畳み部材に払拭体が取り付けられることを特徴とする、請求項１に記載の長さの調整が可能な折り畳み式モップホルダー。
【請求項９】
前記払拭体が、前記固定部材と折り畳み部材上に取り付け可能なカバー体を備えることを特徴とする、請求項８に記載の長さの調整が可能な折り畳み式モップホルダー。
【請求項１０】
前記カバー体の底面に房糸層または布片層が設けられたことを特徴とする、請求項９に記載の長さの調整が可能な折り畳み式モップホルダー。
【考案の詳細な説明】
【技術分野】
【０００１】
本考案は長さの調整が可能な折り畳み式モップホルダーに関し、特に、払拭体を取り付けるために用いられ、且つ折り畳むことでモップ取付部の長さを変えることができるホルダーであって、特にホルダーを構成するハンドル、固定部材、折り畳み部材に係る、長さの調整が可能な折り畳み式モップホルダーに関する。
【背景技術】
【０００２】
現存するモップは主に、埃を吸着する能力を備えた払拭体と、払拭体を広げて固定するために用いるホルダーから構成され、且つ払拭体は表面には房糸または布片層を備えている。使用前に、ホルダーの先端を払拭体に設けられた内部空間に挿入し、払拭体の後端部をホルダー中段部に設けられた逆さフック上に掛止すると、払拭体を開いてまっすぐにすることができ、使用者がホルダーの後端部を手に持って動かすと、払拭体表面の房糸または布片層に埃を吸着させることができる。払拭体が汚れたら、払拭体を直接ホルダーから取り外し、新しい払拭体に交換すればよく、環境保護の要求を満たすことができる。
【０００３】
また、前述のモップの払拭体が埃を吸着する効果は、主に２種類のルートを通して達せられており、一つは房糸層の繊維構造を利用して埃を吸着するルート、もう一つは房糸層が持つ正電荷を利用して負電荷を持つ埃を吸引するルートである。
【０００４】
現在市販されているモップには長いものと短いものがあり、長いモップは大きな面積の表面の清掃に有利であるが、複雑な表面の清掃には不利である。反対に、短いモップは複雑な表面の清掃には有利であるが、大きな面積の表面の清掃には不利である。このほか、前述の房糸または布片層はほとんどが払拭体の上表面と下表面に平均的に設けられており、ホルダーの四周が房糸または布片で囲まれ、各種死角内の埃の清掃に有利であるが、払拭体の上下表面に房糸または布片層を形成する方法は、モップに一定の厚みを生じ、狭い隙間に入り込ませて清掃することが困難である。
【０００５】
これに鑑みて、市販されているものにも払拭体の単一表面に房糸または布片層を設けたモップがある。これはモップの厚みを効果的に小さくし、狭い隙間に入り込ませて清掃するときに有利であるが、両面に房糸または布片層を備えたモップが本来持つ各種死角の埃を清掃する際に有利である能力が失われる。故に、上述の問題は当前記分野の技術者が解決を図る問題点である。
【考案の概要】
【考案が解決しようとする課題】
【０００６】
本考案の目的は、上述の先行技術において、従来のモップが大きい面積の表面と複雑な表面を清掃する能力を兼ね備えることが困難である問題を克服すると共に、従来のモップが各種死角の埃の清掃と狭い隙間に入り込ませて清掃する能力を兼ね備えることが困難である問題を克服するために、払拭体を取り付けるために用いられ、且つ折り畳むことでモップの長さを変えることができるホルダーを提供することにある。
【課題を解決するための手段】
【０００７】
上述の目的を達するため、本願の第１考案は、長さの調整が可能な折り畳み式モップホルダーであって、
ハンドルと、
両端に枢設部及び前記ハンドルの連結に用いる嵌着部がそれぞれ形成された固定部材と、
前記枢設部に枢着され、前記固定部材との間が一直線の状態になるまで揺動させると前記ホルダーが長くなり、前記固定部材と重なり合うまで揺動させると前記ホルダーが短くなる折り畳み部材と、
前記折り畳み部材の先端部に形成された位置決め孔と、
前記固定部材の上部に形成され、前記折り畳み部材と固定部材が重ね合わされたときに前記位置決め孔に挿入され、重なり合った前記折り畳み部材と固定部材を位置決めするフック部と、
を含む、長さの調整が可能な折り畳み式モップホルダーを提供する。
【０００８】
上述により、前記固定部材と折り畳み部材上に房糸または複数の布片を備えた払拭体を取り付けることができ、折り畳み部材を調整してホルダーを長くしたときは、払拭体を利用して大きな面積の表面を清掃することができ、折り畳み部材を調整してホルダーを短くしたときは、払拭体を利用して複雑な表面を清掃することができるため、従来のモップが大きな面積の表面と複雑な表面を清掃する能力を兼ね備えることが困難である問題を克服し、使用上の利便性を向上することができる。
【０００９】
本願の第２考案は、前記嵌着部がハンドルの方向に開放された収容部を備え、前記収容部内壁に２つの相互に対称で外部に連通された端口が形成され、前記ハンドルの一端に収容部内に嵌置される連結部が設けられ、前記連結部に２つの相互に対称な弾性フック部が形成され、前記フック部は前記端口にそれぞれ弾性的に挿入されて外部に露出され、これにより前記フック部を押すと連結部を収容部から離脱させ、ハンドルを交換することができる、前記第１考案の長さの調整が可能な折り畳み式モップホルダーを提供する。
【００１０】
本願の第３考案は、前記折り畳み部材が両端に末端部と軸部をそれぞれ備え、前記折り畳み部材が前記軸部により前記枢設部に枢着され、前記軸部の両端に前記末端部の反対方向に向かって開放された第１スロット部と、前記末端部の方向に向かって開放された第２スロット部がそれぞれ形成され、前記位置決め孔が前記末端部の上部に形成され、
前記固定部材の内部に、前記枢設部と前記ホルダーの前記ハンドル近くの位置の間に連通された通路が形成され、
前記ホルダー外壁の前記ハンドル近くの位置に前記通路に連通されたガイド口が形成され、
前記枢設部の方向に弾性的に付勢され、前記通路内を摺動する支持棒が設けられ、前記支持棒が前記枢設部を通過して前記第１スロット部または第２スロット部に弾性的に挿入され、前記折り畳み部材の揺動を制動し、
前記支持棒上に、前記ガイド口から外部に露出されたトリガ部材が設置され、人が手で操作して、前記支持棒を前記枢設部の反対方向に動かし、前記第１スロット部または第２スロット部から離脱させ、前記折り畳み部材の揺動が解放されることを特徴とする、前記第１考案の長さの調整が可能な折り畳み式モップホルダーを提供する。
【００１１】
本願の第４考案は、前記ホルダーの前記ハンドル近くの位置内部に形成され、且つ前記通路とガイド口の間に連通された収容部と、
前記支持棒上部に設けられ、且つ前記折り畳み部材の方向に向けられ、前記収容部内に位置する上斜面と、
前記トリガ部材底部に設けられ、且つ前記ハンドル方向に向けられた下斜面を含み、前記トリガ部材が前記下斜面を前記支持棒の前記上斜面上で摺動させることで、前記下斜面が下に移動されて前記上斜面を動かし、前記支持棒を前記枢設部の反対方向に移動させることを特徴とする、前記第３考案の長さの調整が可能な折り畳み式モップホルダーを提供する。
【００１２】
本願の第５考案は、前記支持棒とハンドルの間にバネが設置され、前記支持棒を前記枢設部方向に弾性的に付勢することを特徴とする、前記第３考案の長さの調整が可能な折り畳み式モップホルダーを提供する。
【００１３】
本願の第６考案は、前記通路の内壁にガイド溝が形成され、前記支持棒上に前記ガイド溝内を摺動する規制フック部が形成されたことを特徴とする、前記第３考案の長さの調整が可能な折り畳み式モップホルダーを提供する。
【００１４】
本願の第７考案は、前記固定部材と折り畳み部材が扁平の細長い形状であることを特徴とする、前記第１考案の長さの調整が可能な折り畳み式モップホルダーを提供する。
【００１５】
本願の第８考案は、前記固定部材と折り畳み部材に払拭体が取り付けられることを特徴とする、前記第１考案の長さの調整が可能な折り畳み式モップホルダーを提供する。
【００１６】
本願の第９考案は、前記払拭体が、前記固定部材と折り畳み部材上に取り付け可能なカバー体を備えることを特徴とする、前記第８考案の長さの調整が可能な折り畳み式モップホルダーを提供する。
【００１７】
本願の第１０考案は、前記カバー体の底面に房糸層または布片層が設けられたことを特徴とする、前記第９考案の長さの調整が可能な折り畳み式モップホルダーを提供する。
【考案の効果】
【００１８】
本考案に係る長さの調整が可能な折り畳み式モップホルダーは、折り畳み部材を調整してホルダーを長くしたとき、前記房糸層または布片層が前記固定部材と折り畳み部材の一側の表面に位置し、前記固定部材と折り畳み部材を狭い隙間に入り込ませて房糸層または布片層で清掃を行うことができる。折り畳み部材を調整してホルダーを短くしたときは、前記房糸層または布片層がホルダーの両側表面に位置し、ホルダーの四周が房糸または多数の布片で囲まれるため、各種死角内の埃の清掃に有利とすることができる。これにより従来のモップが各種死角の埃の清掃と狭い隙間に入り込ませて清掃する能力を兼ね備えることが困難である問題を克服し、より一層使用上の利便性を高めることができる。このほか、払拭体が汚れたら、前記ハンドル、固定部材、折り畳み部材をそのまま利用して、新しい払拭体に交換すればよく、環境保護の要求を満たすことができる。
【００１９】
上述に基づき、本考案の前記固定部材及び折り畳み部材は払拭体を取り付けるために用いられ、モップを構成し、前記固定部材と折り畳み部材を折り畳むことでモップのホルダーの長さを変えることができ、大きな面積及び複雑な表面の清掃に有利とできるだけでなく、各種死角内の埃を清掃したり、狭い隙間に入り込ませたりすることができ、使用上の利便性を高め、環境保護の要求を満たすことができる。
【図面の簡単な説明】
【００２０】
【図１】本考案の最良の実施例の立体図である。
【図２】図１の立体分解図である。
【図３】図１を別の角度から見た立体図である。
【図４】図１の側面図である。
【図５】図４の上面図である。
【図６】図５のＡ−Ａ線での断面図である。
【図７】図６の使用状態を示す断面図である。
【図８】図６の部分拡大断面図である。
【図９】図７の部分拡大断面図である。
【図１０】図６の別の使用状態を示す断面図である。
【図１１】図６のさらに別の使用状態を示す断面図である。
【図１２】図１の使用状態を示す立体図である。
【図１３】図１の別の使用状態を示す立体図である。
【図１４】図１３の使用状態の立体図である。
【図１５】図８の別の実施例の断面図である。
【考案を実施するための形態】
【００２１】
図１に本考案の最良の実施例の立体図を示す。かつ図２から図７を併せて参照して説明する。
本考案に係る長さの調整が可能な折り畳み式モップホルダーは、ハンドル１、固定部材２、折り畳み部材３、位置決め孔３１１、フック部２６、中央通路２０、ガイド口２５、支持棒４、及びトリガ部材５を含む。
【００２２】
そのうち、前記ハンドル１は中空の細長い円筒状の形態とすることができ、且つハンドル１の両端に連結部１１と吊り下げ孔１２がそれぞれ形成され、前記連結部１１は固定部材２の方向に延伸された２つの相互に対称な弾性フック部１１１が形成され、ハンドル１の吊り下げ孔１２により高いところにモップを掛けることができる。
【００２３】
前記固定部材２は扁平な細長い形状とすることができ、且つ固定部材２の両端に枢設部２１と、前記ハンドル１の連結部１１の結合に用いる嵌着部２２がそれぞれ形成される。前記嵌着部２２にはハンドル１の方向に開放した収容部２３が形成され、且つ収容部２３の内壁に２つの相互に対称で嵌着部２２の外壁を経由して外部に連通された端口２４が形成される。前記収容部２３は本実施例においてホルダーのハンドル１近くの位置の内部に形成することができる。
【００２４】
前記連結部１１は収容部２３の開口２３１を介して収容部２３内に嵌置され、前記フック部１１１が端口２４にそれぞれ弾性的に挿入されて外部に露出され、且つフック部１１１の外部に露出される表面に複数の指で押しやすくするための突起１１２を形成することができる。これにより、前記フック部１１１を押して端口２４からフック部１１１を離脱させ、収容部２３から連結部１１を離脱させると、便利にハンドル１を交換することができる。
【００２５】
前記折り畳み部材３は扁平な細長い形状とすることができ、且つ折り畳み部材３は両端に末端部３１と軸部３２がそれぞれ形成される。前記折り畳み部材３は軸部３２が固定部材２の枢設部２１に枢着される。実際には前記枢設部２１が２つの相互に対称な支持板２１１を備え、且つ支持板２１１上に枢設孔２１２が形成され、前記枢設孔２１２内に軸ピン２１３が挿入される。前記軸部３２は前記支持板２１１の間に回動可能に配置され、且つ軸部３２両側の間に軸ピン２１３の挿入に用いる軸孔３２０が形成される。
【００２６】
前記折り畳み部材３の軸部３２は両端に末端部３１の反対方向に向かって開放された第１スロット部３２１（図７参照）と、末端部３１の方向に向かって開放された第２スロット部３２２がそれぞれ形成される。
【００２７】
これにより、前記折り畳み部材３を固定部材２との間が一直線の状態になるまで揺動させて前記ホルダーを長くしたり、且つ固定部材２と重なり合うまで揺動させて前記ホルダーを短くしたりすることができる（図１０参照）。
【００２８】
前記位置決め孔３１１は折り畳み部材３の末端部３１先端に形成される。前記フック部２６は固定部材２上部のハンドル１近くの位置に形成され、且つフック部２６は前記折り畳み部材３と固定部材２が重ね合わされたとき位置決め孔３１１に挿入され、重ね合わせた前記折り畳み部材３と固定部材２を位置決めすることができる。
【００２９】
前記中央通路２０は固定部材２内部に形成され、枢設部２１とホルダーのハンドル１近くの位置の間に連通され、前記支持板２１１の間の軸部３２に相対する端部に位置する開口２０１が形成される。
【００３０】
前記第１スロット部３２１は前記折り畳み部材３と固定部材２間が直線状態を成すときに前記開口２０１に相対し、且つ第２スロット部３２２は前記折り畳み部材３と固定部材２が重ね合わされたときに前記開口２０１に相対する。
【００３１】
前記ガイド口２５はホルダー上部外壁のハンドル１近くの位置に形成され（図８参照）、前記通路２０に連通される。実際には、前記ガイド口２５は固定部材２の嵌着部２２上面に形成することができ、且つ収容部２３が前記通路２０とガイド口２５の間に連通される。
【００３２】
前記支持棒４はストリップ状とすることができ、両端に接続部４１とプッシュ部４２がそれぞれ形成され、且つ支持棒４は枢設部２１方向に弾性的に付勢されて通路２０内に摺動可能に設置され、支持棒４の接続部４１が枢設部２１箇所の開口２０１を通過して前記第１スロット部３２１または第２スロット部３２２に弾性的に挿入されて、折り畳み部材３の揺動が制動される。実際には、前記収容部２３の開口２３１とハンドル１の間にストッパ部材６を嵌置し、前記支持棒４のプッシュ部４２とハンドル１のストッパ部材６の間にバネ７を設置して、支持棒４を枢設部２１の方向に弾性的に付勢する。
【００３３】
前記トリガ部材５はボタンの形態とすることができ、且つトリガ部材５は支持棒４上に設置され、ガイド口２５から外部に露出されて、人が手で操作し、前記支持棒４の接続部４１を前記枢設部２１の反対方向に動かして前記第１スロット部３２１または第２スロット部３２２を離脱させ、前記折り畳み部材３の揺動を解放する。
【００３４】
具体的な実施例において、本考案はさらに上斜面４２１と下斜面５１を含む。前記上斜面４２１は支持棒４のプッシュ部４２上部に設置され、且つ折り畳み部材３の方向を向いており、前記収容部内に位置する。前記下斜面５１はトリガ部材５底部に設けられ、且つハンドル１の方向を向いており、且つトリガ部材５は下斜面５１を介して支持棒４の上斜面４２１上で摺動される。これにより、前記下斜面５１がトリガ部材５に伴い下に移動されると上斜面４２１が動かされ、支持棒４を枢設部２１の反対方向に移動させることができる。
【００３５】
上述の構造により、使用者は折り畳み部材３を固定部材２との間が直線状態（図６参照）になるまで揺動させて、ホルダーを長くすることができ、且つ支持棒４がバネ７により枢設部２１の方向に向かって動かされ、支持棒４の接続部４１が開口２０１を通過して前記第１スロット部３２１に弾性的に挿入されて、折り畳み部材３の揺動が制動される。使用者は隨意にトリガ部材５を押すこともでき（図７及び図９参照）、下斜面５１がトリガ部材５に伴って下に移動し、上斜面４２１を押して、上斜面４２１が下斜面５１に沿って枢設部２１の反対方向へ移動され、支持棒４の接続部４１が枢設部２１の反対方向に移動されて前記第１スロット部３２１から離脱し、折り畳み部材３の揺動を解放することができる。
【００３６】
続いて、使用者は折り畳み部材３を固定部材２と重ね合わされるまで（図１０及び図１２参照）揺動させて、前記ホルダーを短くすることもでき、且つフック部２６を位置決め孔３１１に挿入させて、重ね合わせた前記折り畳み部材３と固定部材２を位置決めすることができる。同時に、トリガ部材５を解放すると、バネ７が再度支持棒４を枢設部２１の方向に移動させ、支持棒４の接続部４１が開口２０１を通過して前記第２スロット部３２２に弾性的に挿入され（図１１参照）、折り畳み部材３の揺動が制動される。この間、前記上斜面４２１は支持棒４に伴い枢設部２１の方向に移動され、トリガ部材５が下斜面５１に伴い上斜面４２１に沿って上に移動され、元の位置に戻る（図８参照）。
【００３７】
これに基づき、本考案のホルダーはトリガ部材５を制御することで折り畳み部材３の揺動を制限したり、解放したりすることができ、且つ折り畳み部材３の揺動角度を調整することでホルダーを長くしたり、短くしたりして、折り畳み方式でモップのホルダーの長さを調整するという目的を達することができる。
【００３８】
以下さらに本考案の具体的な実施方法を説明する。
【００３９】
実施例では、前記収容部２３底部の内壁に切欠口２３２が形成され、前記下斜面５１の下端部を切欠口２３２内まで下に移動可能として、トリガ部材５の下方向への移動距離を増加することができる。
【００４０】
実施例では、前記通路２０の底部内壁にガイド溝２０２が形成され、前記支持棒４の底部にガイド溝２０２内で摺動される規制フック部４３が形成され、前記ガイド溝２０２は規制フック部４３の活動範囲を制限し、支持棒４の通路２０内での摺動を拘束することができる。
【００４１】
一般的な使用状況下では、前記固定部材２と折り畳み部材３上に払拭体８を取り付け（図１３参照）、ホルダー及び払拭体８でモップを構成することができる。前記払拭体８はカバー体８１を備え、且つカバー体８１の一端に取付口８２が設けられ、取付口８２から前記カバー体８１を前記固定部材２及び折り畳み部材３上に取り付けることができ、且つカバー体８１の外側表面に房糸層８３が設けられる。本実施例では、前記房糸層８３をカバー体８１底面に設けることができる。
【００４２】
これにより、折り畳み部材３を調整してホルダーを長くしたとき、前記房糸層８３が前記固定部材２と折り畳み部材３の一側の表面に位置し、且つ前記固定部材２と折り畳み部材３下方に配置され、これによりモップの厚みを大幅に減少することができ、房糸層８３を前記固定部材２と折り畳み部材３に伴って狭い隙間に入り込ませ、有利に清掃を行うことができ、且つ払拭体８を利用して大きな面積の表面を清掃することができる。
【００４３】
折り畳み部材３を調整してホルダーを短くしたときは、前記払拭体８がホルダーと共に折り畳まれて重ね合わされ、房糸層８３がホルダーの両側表面に配置され（図１４参照）、ホルダーの四周が房糸層で囲まれて、各種死角内の埃の清掃に有利となり、且つ払拭体を利用して複雑な表面を清掃することができる。
【００４４】
このほか、前記房糸層８３はカバー体８１上面に設けて、房糸層８３の房糸を前記固定部材２と折り畳み部材３周辺の外囲に向かって延伸させることもでき、あるいは、前記房糸層８３をカバー体８１上面と底面に設け、前記固定部材２と折り畳み部材３の四周を房糸で囲むこともできる。
【００４５】
このほか、前記カバー体８１の外側表面には布片層８４（図１５参照）を設けてもよく、且つ布片層８４はカバー体８１底面に設けることもでき、その他構成部材及び実施方法は上述の実施例と同じである。
【００４６】
このように、本考案の前記固定部材２及び折り畳み部材３は払拭体８を取り付けるために用いてモップを構成することができる。前記固定部材２と折り畳み部材３を折り畳むことでモップのホルダーの長さを変えることができ、折り畳み可能な払拭体８は大きな面積及び複雑な表面の清掃のいずれにも有利であり、かつ各種死角内の埃を掃除したり、狭い隙間に入り込ませたりすることもでき、従来のモップが大きな面積の表面と複雑な表面を清掃する能力を兼ね備えることが困難な問題を克服すると共に、従のモップが各種死角の埃の清掃と狭い隙間に入り込ませて清掃する能力を兼ね備えることが困難な問題も克服して、使用上の利便性を向上することができる。また、払拭体が汚れたら、前記ハンドル、固定部材、折り畳み部材をそのまま利用して、新しい払拭体に交換すればよく、環境保護の要求も満たすことができる。
【００４７】
先行技術と比較して、本考案には次のような利点がある。
１. 前記ハンドル１が円筒状の形態であり、使用者が握りやすく、かつ３６０度の旋回を行うとき有利である。
２. 前記折り畳み部材３と固定部材２を折り畳んでホルダーを短くすると、ホルダー四周が房糸または複数の布片に囲まれ、各種複雑な表面の清掃に便利であり、操作上より応用がきき、収納もしやすい。
３. 前記折り畳み部材３と固定部材２を展開してホルダーを長くすると、房糸層８３または布片層８４がホルダーの一側表面に配置され、モップの厚みを減らすことができ、且つ房糸または複数の布片が分布する範囲の長さを増加できるため、有利に狭い隙間に入り込ませることができ、また大きな面積の表面の清掃に有利であり、使用上の利便性と清掃効率を高めることができる。
４. 前記フック部２６と位置決め孔３１１を相互に嵌合させることで、前記折り畳み部材３と固定部材２を効果的に位置決めし、前記折り畳み部材３と固定部材２間が緩んで動くことがないように防止できる。
５. 支持棒４を利用して前記第１スロット部３２１と第２スロット部３２２に嵌入及び離脱させることで、ホルダーの使用時の形態を効果的に固定したり、隨意に前記折り畳み部材３と固定部材２を解放したりすることができ、ホルダーが使用中に形態が変わることがないようにすることができる。
【符号の説明】
【００４８】
１・・・・・・ハンドル
１１・・・・・連結部
１１１・・・・フック部
１１２・・・・突起
１２・・・・・吊り下げ孔
２・・・・・・固定部材
２０・・・・・通路
２０１・・・・開口
２０２・・・・ガイド溝
２１・・・・・枢設部
２１１・・・・支持板
２１２・・・・枢設孔
２１３・・・・軸ピン
２２・・・・・嵌着部
２３・・・・・収容部
２３１・・・・開口
２３２・・・・切欠口
２４・・・・・端口
２５・・・・・ガイド口
２６・・・・・フック部
３・・・・・・折り畳み部材
３１・・・・・末端部
３１１・・・・位置決め孔
３２・・・・・軸部
３２０・・・・軸孔
３２１・・・・第１スロット部
３２２・・・・第２スロット部
４・・・・・・支持棒
４１・・・・・接続部
４２・・・・・プッシュ部
４２１・・・・上斜面
４３・・・・・規制フック部
５・・・・・・トリガ部材
５１・・・・・下斜面
６・・・・・・ストッパ部材
７・・・・・・バネ
８・・・・・・払拭体
８１・・・・・カバー体
８２・・・・・取付口
８３・・・・・房糸層
８４・・・・・布片層
【図１】
0003172999.tif 000003
【図２】
0003172999.tif 000004
【図３】
0003172999.tif 000005
【図４】
0003172999.tif 000006
【図５】
0003172999.tif 000007
【図６】
0003172999.tif 000008
【図７】
0003172999.tif 000009
【図８】
0003172999.tif 000010
【図９】
0003172999.tif 000011
【図１０】
0003172999.tif 000012
【図１１】
0003172999.tif 000013
【図１２】
0003172999.tif 000014
【図１３】
0003172999.tif 000015
【図１４】
0003172999.tif 000016
【図１５】
0003172999.tif 000017